(57)【要約】【課題】被清掃面の水拭きを行うことができる電気掃除機用吸込具において、水分が電気掃除機側へ送られることを防止することができる電気掃除機用吸込具を提供すること。【解決手段】ローラ４２にウェットシート２９を巻き付け、このウェットシート２９から回転ブラシ２５のウィングクロス２８に水分を供給する。これにより、ウィングクロス２８を床面１７に接触させることで床面１７を水拭きできる。また、ウィングクロス２８に必要以上の水分を蓄えておかなくても、ウェットシート２９から、必要最低限の水分をウィングクロス２８に供給することができる。これにより、ウィングクロス２８に余分な水分が溜まることはほとんどないので、回転ブラシ２５を回転させたときにウィングクロス２８から水分が飛散して電気掃除機本体２側へ送られることを防止することができる。【選択図】図４
2009022457.tif 000002
【特許請求の範囲】
【請求項１】
被清掃面に対向される吸込口を有する本体と、
前記本体内において、前記吸込口に臨むように回転自在に配置される回転ブラシと、
前記回転ブラシの毛先に水分を供給する給水部と、
を有することを特徴とする、電気掃除機用吸込具。
【請求項２】
前記給水部は、前記本体において前記回転ブラシの毛先が接触可能な位置に設けられていることを特徴とする、請求項１記載の電気掃除機用吸込具。
【請求項３】
前記給水部は、回転自在に配置されるとともに、外側にウェットシートを巻き付け可能なローラを含むことを特徴とする請求項２記載の電気掃除機用吸込具。
【請求項４】
前記ローラは、前記本体の外側に配置され、前記本体には、前記本体内の前記ブラシの毛先を前記ローラに接触させる開口が形成されていることを特徴とする、請求項３記載の電気掃除機用吸込具。
【請求項５】
前記給水部は、吸水素材によって形成され、
前記本体には、前記給水部を収納する収納室と、前記収納室を外側から塞ぐ蓋とが設けられていることを特徴とする、請求項２記載の電気掃除機用吸込具。
【請求項６】
前記本体には、前記本体内の前記ブラシの毛先を前記給水部に接触させる開口が形成されていることを特徴とする、請求項５記載の電気掃除機用吸込具。
【請求項７】
前記蓋は、前記収納室に対して着脱可能であることを特徴とする、請求項５または６記載の電気掃除機用吸込具。
【請求項８】
前記給水部は、前記回転ブラシの鉛直上方に配置されていることを特徴とする、請求項２〜７のいずれかに記載の電気掃除機用吸込具。
【請求項９】
前記給水部は、吸水素材によって形成され、前記ブラシの芯体に設けられていることを特徴とする、請求項１記載の電気掃除機用吸込具。
【請求項１０】
前記ブラシの芯体の外側表面には、前記芯体の内側と外側とを連通させるための穴が形成されていることを特徴とする、請求項９記載の電気掃除機用吸込具。
【請求項１１】
前記給水部は、前記ブラシの芯体に対して着脱可能であることを特徴とする、請求項９または１０記載の電気掃除機用吸込具。
【発明の詳細な説明】
【技術分野】
【０００１】
この発明は、電気掃除機用吸込具に関し、特に、電気掃除機に装着されて使用され、被清掃面上の塵挨を吸い込んで電気掃除機側へ送るのに加えて、被清掃面の水拭きを行うことができる吸込具に関する。
【背景技術】
【０００２】
従来、電気掃除機用の吸込具では、吸込具本体の下面（被清掃面に対向する面）に形成された吸込口に回転ブラシが配設されており、この回転ブラシを回転させて被清掃面の塵埃を掻き上げ、掻き上げた塵埃を吸込口から電気掃除機本体側へ送ることで、被清掃面の清掃を行う。
また、回転ブラシの外周面にウェットシートを巻きつけ、ウェットシートを被清掃面（たとえば、フローリング床）に接触させた状態で回転ブラシを回転させることで被清掃面の水拭きを行うことができる吸込具も知られている（特許文献１参照）。
【特許文献１】特開２００５−３０４９５４号公報
【発明の開示】
【発明が解決しようとする課題】
【０００３】
水拭きをする場合、水分の取り扱いに留意する必要がある。
たとえば、上述したウェットシートを回転ブラシに巻きつける構成の吸込具では、ウェットシートを被清掃面に接触させることでウェットシートが絞られ、さらに、回転ブラシの回転で生じる遠心力がウェットシートに作用されることで、ウェットシートが脱水されることがある。また、回転ブラシを回転させてウェットシートを回転ブラシに巻きつける場合にも、回転ブラシの回転で生じる遠心力がウェットシートに作用されることで、ウェットシートが脱水されることがある。
【０００４】
これらの場合に電気掃除機が運転されて吸引力が発生すると、ウェットシートから脱水された水分が吸込口を介して電気掃除機側へ送られ、この水分によって電気掃除機内の電気部品が濡れたり、電気掃除機内の集塵用紙パックが破れたりする虞がある。
また、ウェットシートが回転ブラシから剥がれ、電気掃除機内で詰まる虞もある。
この発明は、かかる背景のもとでなされたもので、被清掃面の水拭きを行うことができる電気掃除機用吸込具において、水分が電気掃除機側へ送られることを防止することができる電気掃除機用吸込具を提供することを主たる目的とする。
【０００５】
この発明は、ウェットシートを用いて被清掃面の水拭きを行うことができる電気掃除機用吸込具において、電気掃除機内にウェットシートが詰まることを防止することができる電気掃除機用吸込具を提供することを他の目的とする。
【課題を解決するための手段】
【０００６】
請求項１記載の発明は、被清掃面に対向される吸込口を有する本体と、前記本体内において、前記吸込口に臨むように回転自在に配置される回転ブラシと、前記回転ブラシの毛先に水分を供給する給水部と、を有することを特徴とする、電気掃除機用吸込具である。
請求項２記載の発明は、前記給水部は、前記本体において前記回転ブラシの毛先が接触可能な位置に設けられていることを特徴とする、請求項１記載の電気掃除機用吸込具である。
【０００７】
請求項３記載の発明は、前記給水部は、回転自在に配置されるとともに、外側にウェットシートを巻き付け可能なローラを含むことを特徴とする請求項２記載の電気掃除機用吸込具である。
請求項４記載の発明は、前記ローラは、前記本体の外側に配置され、前記本体には、前記本体内の前記ブラシの毛先を前記ローラに接触させる開口が形成されていることを特徴とする、請求項３記載の電気掃除機用吸込具である。
【０００８】
請求項５記載の発明は、前記給水部は、吸水素材によって形成され、前記本体には、前記給水部を収納する収納室と、前記収納室を外側から塞ぐ蓋とが設けられていることを特徴とする、請求項２記載の電気掃除機用吸込具である。
請求項６記載の発明は、前記本体には、前記本体内の前記ブラシの毛先を前記給水部に接触させる開口が形成されていることを特徴とする、請求項５記載の電気掃除機用吸込具である。
【０００９】
請求項７記載の発明は、前記蓋は、前記収納室に対して着脱可能であることを特徴とする、請求項５または６記載の電気掃除機用吸込具である。
請求項８記載の発明は、前記給水部は、前記回転ブラシの鉛直上方に配置されていることを特徴とする、請求項２〜７のいずれかに記載の電気掃除機用吸込具である。
請求項９記載の発明は、前記給水部は、吸水素材によって形成され、前記ブラシの芯体に設けられていることを特徴とする、請求項１記載の電気掃除機用吸込具である。
【００１０】
請求項１０記載の発明は、前記ブラシの芯体の外側表面には、前記芯体の内側と外側とを連通させるための穴が形成されていることを特徴とする、請求項９記載の電気掃除機用吸込具である。
請求項１１記載の発明は、前記給水部は、前記ブラシの芯体に対して着脱可能であることを特徴とする、請求項９または１０記載の電気掃除機用吸込具である。
【発明の効果】
【００１１】
請求項１記載の発明によれば、この電気掃除機用吸込具では、毛先に水分が供給された回転ブラシを、吸込口を介して被清掃面に接触させることにより、被清掃面を水拭きできる。
ここで、給水部から回転ブラシの毛先に水分を供給するので、毛先に必要以上の水分を蓄えておかなくても、給水部によって、必要最低限の水分を毛先に供給することができる。これにより、毛先に余分な水分が溜まることはほとんどない。そのため、回転ブラシを回転させたときに毛先から水分が飛散して電気掃除機側へ送られることを防止することができる。
【００１２】
請求項２記載の発明によれば、給水部は、本体において回転ブラシの毛先が接触可能な位置に設けられているので、給水部から毛先に対して確実に水分を供給することができる。
請求項３記載の発明によれば、給水部は、回転自在に配置されるとともに、外側にウェットシートを巻き付け可能なローラを含んでいる。回転ブラシを回転させると、ローラは、回転ブラシの毛先に接触されることによって回転する。回転しているローラにウェットシートを接触させると、ウェットシートがローラに巻き込まれ、ローラの外側に円滑に巻き付けられる。これにより、ウェットシートをローラに容易に巻き付けることができる。そして、ローラに巻き付けられたウェットシートに回転ブラシの毛先が接触することにより、ウェットシートの水分を毛先に供給することができる。
【００１３】
請求項４記載の発明によれば、ローラは、本体の外側に配置されているので、ローラに巻き付けられたウェットシートも本体の外側に配置される。そのため、ウェットシートが電気掃除機内に詰まることを防止することができる。
また、本体には、本体内のブラシの毛先をローラに接触させる開口が形成されているので、ローラに巻き付けられたウェットシートから毛先に対して確実に水分を供給することができる。
【００１４】
請求項５記載の発明によれば、給水部は、吸水素材によって形成されているので、比較的多量の水分を蓄えることができる。そのため、給水部から毛先に対して水分を比較的長期間供給することができる。
また、本体には、給水部を収納する収納室と、収納室を外側から塞ぐ蓋とが設けられているので、収納室に収納された給水部から水分が外側へ漏れ出すことを防止することができる。
【００１５】
請求項６記載の発明によれば、本体には、本体内のブラシの毛先を給水部に接触させる開口が形成されているので、給水部から毛先に対して確実に水分を供給することができる。
請求項７記載の発明によれば、蓋は、収納室に対して着脱可能である。そのため、給水部の水分が少なくなると、蓋を収納室から離脱させ、収納室内の給水部に水分を補給したり、収納室の古い給水部を新しい給水部に交換したりすることができる。
【００１６】
請求項８記載の発明によれば、給水部は、回転ブラシの鉛直上方に配置されているので、給水部の水分を、重力を利用して、毛先に円滑に供給することができる。
請求項９記載の発明によれば、給水部は、吸水素材によって形成されているので、比較的多量の水分を蓄えることができる。そのため、給水部から回転ブラシの毛先に対して水分を比較的長期間供給することができる。
【００１７】
また、給水部は、ブラシの芯体に設けられているので、給水部の水分を、回転ブラシを回転させたときに生じる遠心力を利用して、毛先に円滑に供給することができる。
請求項１０記載の発明によれば、ブラシの芯体の外側表面には、芯体の内側と外側とを連通させるための穴が形成されているので、芯体の内側の給水部から芯体の外側の毛先に対して確実に水分を供給することができる。
【００１８】
請求項１１記載の発明によれば、給水部は、ブラシの芯体に対して着脱可能である。そのため、給水部の水分が少なくなると、給水部をブラシの芯体から離脱させ、この給水部に水分を補給したり、古い給水部を新しい給水部に交換したりすることができる。
【発明を実施するための最良の形態】
【００１９】
以下には、図面を参照して、この発明の実施形態について具体的に説明をする。
＜電気掃除機の全体構成＞
図１は、この発明の一実施形態に係る電気掃除機用吸込具６を含む電気掃除機１の右側面図である。図２は、図１における電気掃除機本体２の右側断面図である。
以下、説明の便宜上、図１において左側を前方（正面）、右側を後方（背面）、手前側を右、奥側を左として説明し、電気掃除機１の各構成部材や吸込具６についての説明の際も、その方向に従って、前後、左右および上下を区別しながら説明する。なお、左右方向は、幅方向と同義である。
【００２０】
図１を参照して、電気掃除機１には、電気掃除機本体２、吸込ホース３、操作部４、吸込パイプ５およびこの発明の一実施形態に係る吸込具６が含まれている。
電気掃除機本体２には、電動送風機７（図２参照）が内蔵されていて、この電動送風機７により吸引力が発生する。電気掃除機本体２の正面側には、吸込ホース３の後端側に備えられた接続部８が着脱可能に連結されている。吸込ホース３は可撓性を有し、任意の形態に曲げることができる。吸込ホース３の反対側（先端側）には操作部４が取り付けられている。操作部４は、吸込ホース３の軸方向に延びるパイプ部９と、パイプ部９から軸方向と交差する方向における後方側へ延びたグリップ１０とを具備している。また、吸込ホース３の先端側と操作部４との間には回動機構１１が介在されていて、操作部４と吸込ホース３とは、互いに軸回りに回動自在に連結されている。
【００２１】
吸込パイプ５は、操作部４と吸込具６との間を連結する長手の、たとえば樹脂製のパイプである。吸込パイプ５は、その長さ方向ほぼ中央部を境に、先端側（吸込具６が取り付けられた側）１２Ａが、後端側（操作部４が接続された側）１２Ｂ内に同軸上に収納され、長さが可変できるように構成されている。この長さの可変は、吸込パイプ５の中央部に備えられたロックボタン１３を操作することにより、行うことができる。
【００２２】
吸込具６には、本体としてのハウジング１４と、接続筒１５と、接続筒１５をハウジング１４に対して取り付けるための連結部材１６とが含まれている。
吸込パイプ５は、操作部４から取り外し可能であり、操作部４を吸込具６の接続筒１５に直接連結することも可能である。
なお、図１において、１７は、被清掃面としての床面を示している。
【００２３】
次に、図２を参照して、電気掃除機本体２内部について説明する。
電気掃除機本体２は、たとえば、樹脂製であり、中空のボックス形状に形成されている。電気掃除機本体２の左右側面の後側および底面の前側には、キャスター１８がそれぞれ配置されており、これらのキャスター１８により、電気掃除機本体２の移動が容易なものとなっている。
【００２４】
電気掃除機本体２の内部には、略前半分部分に集塵ユニット１９が配置され、集塵ユニット１９の後方には、電動送風機７が配置されている。
集塵ユニット１９は、集塵容器２０と集塵フィルタ２１とを備えている。集塵容器２０は、その正面側において、上述した接続部８（図１参照）に直接連通し、また、後側が開放されている。
【００２５】
集塵フィルタ２１は、たとえば、メッシュ状フィルタやプリーツ状フィルタ等から構成されており、集塵容器２０において開放された後側部分を塞ぐように、集塵容器２０に取付けられている。
集塵容器２０内には、前後方向に延びる中心軸回りに旋回する旋回流路が形成されており、電動送風機７が発生する吸引力によって接続部８から集塵容器２０内に流入した空気は、この旋回流路で旋回される（図示矢印参照）。このとき、空気に含まれる異物、たとえば塵埃には遠心力が付与されるので、塵埃は、効果的に空気から分離され、集塵フィルタ２１で捕獲されて集塵容器２０内に溜められる。集塵フィルタ２１を通過して集塵が除去された空気は、電動送風機７を通過した後に、機外へ排出される。
【００２６】
なお、集塵ユニット１９は、いわゆるサイクロン方式で集塵を行うタイプであるが、これに限らず、たとえば、旋回流路を有しない使い捨ての紙パックを集塵容器とする構成であってもよい。
＜吸込具＞
次に、吸込具６について説明する。
【００２７】
図３は、吸込具６の右側断面図である。図４は、図３において、ウェットシート２９を取り付けた様子を示す。図５は、吸込具６の平面図である。
図３を参照して、吸込具６は、上述したように、ハウジング１４、接続筒１５および連結部材１６を含んでいる。
ハウジング１４は、幅方向に長手の略ボックス形状に形成されている（図５参照）。ハウジング１４の前側面は開放されており、ハウジング１４には、この前側面を開閉可能なシャッター２２が備えられている。ハウジング１４とシャッター２２とによって、吸込具６の内部には、収容室２３が区画されている。また、ハウジング１４の底面の前側部分には、吸込具６が床面１７上に配置された清掃可能な状態において、床面１７に対向する吸込口２４が形成されている。吸込口２４は、収容室２３に連通している。収容室２３内には、吸込口２４に臨むように、回転ブラシ２５が収容されている。
【００２８】
また、ハウジング１４の上側壁の外側面には、下側へ窪む凹部４０（収納室）が形成されている。凹部４０は、平面視において幅方向に長手の矩形状（図５参照）、かつ、右側断面視において略半円形状である。凹部４０には、ハウジング１４の上側壁を貫通し、凹部４０と収容室２３とを連通する開口４１が形成されている。開口４１は、平面視矩形状であり、その幅方向寸法は、凹部４０の幅方向寸法より小さい。また、凹部４０には、ローラ４２が取り付けられている。ローラ４２は、その幅方向（軸方向）寸法が凹部４０の幅方向寸法より僅かに小さい円柱形状であり（図５参照）、外周面が起毛材で覆われ、凹部４０の幅方向両端部において、ハウジング１４の上側壁によって回転自在に支持されている。この状態において、ローラ４２は、ハウジング１４の外側に位置している。詳しくは、ローラ４２のうち、略上半分部分は凹部４０より上方に露出され、略下半分部分は、凹部４０におけるハウジング１４の上側壁から上方に離間するように、凹部４０に収容されている。なお、ローラ４２の外周面を起毛材で覆う代わりに、ローラ４２の外周面に静電植毛を施してもよい。
【００２９】
また、収容室２３には、その後方から、連結部材１６が接続されている。
連結部材１６は、収容室２３からハウジング１４の外側後方へ僅かに延びる中空の略円筒形状に形成されている。連結部材１６の後端部は、上方に開放されており、その内部は、略球面状に形成されている。
接続筒１５は、略円管形状である。接続筒１５の先端部（前端部）の外表面は略球面状に形成されている。接続筒１５は、その先端部が連結部材１６の後端部で受け入れられることにより、ハウジング１４に連結されており、その先端部を中心に揺動可能である。
【００３０】
回転ブラシ２５は、幅方向に長手の略円柱形状である。回転ブラシ２５は、その芯体としてハウジング１４の幅方向両側壁に回転自在に支持される回転軸２６と、回転軸２６の外周面において、その周方向に間隔を隔てた複数箇所に植立されたブラシ２７と、回転軸２６の外周面において、周方向におけるブラシ２７の間に植立された複数のウィングクロス２８とを備えている。ブラシ２７およびウィングクロス２８は、ともに回転ブラシ２５の毛である。回転ブラシ２５の幅方向寸法は、凹部４０の幅方向寸法とほぼ等しく、回転ブラシ２５は、凹部４０の鉛直下方、詳しくは、開口４１を介して、ローラ４２の鉛直下方に位置している。ウィングクロス２８は、柔軟性および吸水性のある材料、たとえば起毛布で構成されている。ウィングクロス２８は、回転軸２６の外周面からの突出寸法が、ブラシ２７の突出寸法よりも大きくされている。そして、ウィングクロス２８は、回転軸２６の回転方向（図示実線矢印参照）とは反対の方向へ湾曲している。
【００３１】
また、ハウジング１４には、図示しないモータが内蔵されており、このモータは、回転ブラシ２５の回転軸２６に連結されている。このモータを駆動させると、回転軸２６（回転ブラシ２５）は、正転時には、図示矢印方向に回転し、ブラシ２７が床面１７上の塵挨を吸込口２４側、つまり収容室２３内部へ向けて掻き上げる。ブラシ２７によって掻き上げられた塵挨や空気は、電動送風機７が発生する吸引力によって、吸込口２４から収容室２３内に吸い込まれる。そして、これらの塵挨や空気は、連結部材１６および接続筒１５を通過して、電気掃除機１側（電気掃除機本体２内）へ吸い込まれる。このように、床面１７上の塵埃に吸込口２４を対向させることで、この塵埃を、吸込口２４を介して電気掃除機１内に取り込めるので、床面１７の清掃を行なうことができる。そして、回転ブラシ２５を回転させることで床面１７上の塵埃を吸込口２４側へ掻き上げることができ、床面１７上の塵埃を電気掃除機１内に効率的に取り込むことができる。
【００３２】
また、回転ブラシ２５の回転中には、ウィングクロス２８が床面１７を柔らかく拭く。なお、回転ブラシ２５の回転中においてウィングクロス２８が床面１７から離れた場合には、回転ブラシ２５の回転による遠心力でウィングクロス２８は回転軸２６の外周面から伸び上がるように変化することにより、髪の毛などの長尺ゴミが回転ブラシ２５に絡みつくのを防止することができる。そして、回転ブラシ２５の回転に伴って、伸び上がったウィングクロス２８が開口４１に対向すると、ウィングクロス２８の先端が開口４１を介してローラ４２の外周面に接触する。これにより、ローラ４２には、接線方向への外力が作用され、ローラ４２は、回転ブラシ２５の回転方向とは反対の方向（図示破線矢印参照）に回転する。なお、回転ブラシ２５の回転中においては、複数のウィングクロス２８が断続的にローラ４２に接触することで、ローラ４２の回転が維持される。
【００３３】
この吸込具６では、ウェットシート２９が装着可能であり、ウェットシート２９の水分を利用して床面１７の水拭きを行うことができる。なお、ウェットシート２９は、水やアルコール等（まとめて水分という。）が染み込んだ布または紙のシートである。
具体的には、まず、ローラ４２が上方に露出されるように、床面１７に吸込具６を載置する。この状態において、回転ブラシ２５を回転させて、上述したように、ローラ４２を回転させる。そして、ローラ４２の回転方向に沿うように（図３では、後側上方から）ウェットシート２９の先端をローラ４２に接触させると、ウェットシート２９は、回転するローラ４２に巻き込まれ、図４に示すように、ローラ４２の外周面に複数層で巻き付けられる（この状態のウェットシート２９およびローラ４２が給水部である。）。このように、ウェットシート２９をローラ４２に容易に巻き付けることができる。
【００３４】
ウェットシート２９がローラ４２に巻き付けられた状態で回転ブラシ２５を引き続き回転させると、ウィングクロス２８が、ウェットシート２９に接触することによって、ウェットシート２９の水分を僅かに吸収し、その後、床面１７に接触するときに、吸収した水分によって床面１７を水拭きする。このように、ウィングクロス２８がウェットシート２９から吸収した水分によって、床面１７上の油汚れなどの頑固な汚れを除去し、床面１７を磨くことができる。そして、床面１７を水拭きしたウィングクロス２８は、回転ブラシ２５の回転に伴って再びウェットシート２９に接触し、ウェットシート２９から水分が補給される。このように、ウィングクロス２８は、回転ブラシ２５の回転中において、ウェットシート２９および床面１７に対して交互に接触することによって、ウェットシート２９での吸水と床面１７の水拭きとを繰り返す。ウィングクロス２８は、吸水および水拭きを繰り返すことにより、１回の吸水で必要最低限の僅かな水分を吸水し、その水分を１回の水拭きでほとんど消費することができる。
【００３５】
このように、ウェットシート２９からウィングクロス２８に水分が補給されるので、ウィングクロス２８に必要以上の水分を蓄えておかなくてもよい。これにより、ウィングクロス２８に余分な水分が溜まることはほとんどない。そのため、回転ブラシ２５を回転させたときにウィングクロス２８から水分が飛散して、この水分が連結部材１６および接続筒１５を介して電気掃除機本体２側へ送られることを防止することができる。そして、ウェットシート２９は、ウィングクロス２８が接触可能な位置にあるので、ウェットシート２９からウィングクロス２８に対して確実に水分を供給することができる。また、開口４１を介することにより、ウィングクロス２８は、ウェットシート２９に接触することができ、ウェットシート２９から水分を確実に吸収することができる。また、ウェットシート２９は、回転ブラシ２５の鉛直上方に配置されるので、ウェットシート２９の水分を、重力を利用して、ウィングクロス２８に円滑に供給することができる。
【００３６】
また、回転ブラシ２５の回転中では、ウィングクロス２８が、ローラ４２に巻き付いたウェットシート２９の層に接触するので、ローラ４２が、ウェットシート２９とともに、引き続き回転する。これにより、ウィングクロス２８は、回転するウェットシート２９の外周面に対して、その周上で均一に接触することができるので、ウェットシート２９からウィングクロス２８に対して効率的に水分を供給することができる。
【００３７】
そして、上述したように、ローラ４２は、ハウジング１４の外側に配置されているので、ローラ４２に巻き付けられたウェットシート２９もハウジング１４の外側に配置される。そのため、ウェットシート２９がハウジング１４内の収容室２３を介して電気掃除機１内（図１に示した吸込パイプ５や吸込ホース３の内部など）に詰まることを防止することができる。
【００３８】
ここで、ウィングクロス２８から仮に余分な水分が飛散すると、飛散した水分の一部が、吸込口２４を介して収容室２３内に取り込まれ、連結部材１６および接続筒１５を通過して電気掃除機本体２内へと吸い込まれる。これにより、吸い込まれた水分によって電気掃除機本体２内の電気部品（たとえば、電動送風機７等）が濡れたり、電気掃除機本体２内の集塵ユニット１９において、上述した集塵用紙パックが破れたりする不具合が生じる。また、この水分が、電気掃除機本体２内へ吸い込まれずに、接続筒１５および連結部材１６の内周面に付着する場合もある。その場合、この水分は、接続筒１５および連結部材１６の内周面を伝って、連結部材１６の後端部、つまり、接続筒１５の先端部を受け入れる球面部分に溜まる。これにより、吸込具６を傾けると、連結部材１６の後端部に溜まった水分が、連結部材１６や接続筒１５の後端から床面１７にこぼれ落ちる不具合が生じる。
【００３９】
これらの不具合を解消するために、この吸込具６には、吸水部材３１が備えられている。吸水部材３１は、吸水シート３２および吸水シートカバー３３を含んでいる。吸水シートカバー３３は、接続筒１５の軸線に沿って長手であり、断面が半円弧状の薄板状に形成されている。吸水シート３２は、たとえばセルロース等の繊維による吸水剤で構成されており、吸水シートカバー３３の内周面の全てに亘って張り巡らされている。詳しくは、吸水シート３２の先端（前端）は、吸水シートカバー３３から前側にはみ出している。
【００４０】
また、接続筒１５の先端側の下側面には、複数のスリット３５が形成されている。吸水部材３１は、吸水シート３２が全てのスリット３５を下側から塞ぐように、かつ、吸水シート３２の先端が連結部材１６の後端部に配置されるように、接続筒１５に着脱自在に取付けられている。吸水シート３２は、スリット３５を下側から塞ぐことで、スリット３５を介して、接続筒１５の先端側における下側内周面に露出されている。
【００４１】
そのため、連結部材１６および接続筒１５を通過しようとする水分が、スリット３５から露出される吸水シート３２に、浸透圧の原理で吸収される。また、接続筒１５の内周面に付着した水分は、接続筒１５の内周面を伝って連結部材１６の後端部へたどり着く前に、スリット３５から露出される吸水シート３２に吸収される。そして、連結部材１６の後端部に水分が溜まった場合、この水分は、連結部材１６の後端部に配置される吸水シート３２の先端で吸収される。このように、ウィングクロス２８から水分が仮に飛散しても、吸水部材３１によって、その水分が電気掃除機本体２内へと吸い込まれることを防止できる。なお、吸水シート３２に吸収された水分は、基本的には自然乾燥する。しかし、吸水シート３２が比較的多量の水分を吸収したときは、吸水部材３１を接続筒１５から取り外して吸水シート３２を乾燥させ、吸水シート３２の吸水性能を回復させることができる。
＜変形例＞
（第１の変形例）
図６は、図４に第１の変形例を適用した図である。図７は、図６において、要部を分解した状態を示す。
【００４２】
図６に示すように、第１の変形例では、吸込具６において、ウェットシート２９およびローラ４２の代わりに、給水部として、吸水性を有するスポンジ３６を用いる。
スポンジ３６は、凹部４０の下側部分とほぼ等しい形状である。なお、第１の変形例における凹部４０の右側断面形状は、上記実施例での略半円形状（図４参照）でなく、下側が平坦な略台形形状であり（図７参照）、スポンジ３６は、凹部４０の下側形状にほぼ等しい幅方向に長手の直方体形状である。スポンジ３６は、上側から開口４１に対向するように、凹部４０に収納され、回転ブラシ２５の鉛直上方に位置している。そして、凹部４０には、凹部４０を上方から塞ぐように、蓋４３が着脱可能に取り付けられている。蓋４３には、下方へ延びる脚部４４が一体的に設けられている(図７参照)。そのため、蓋４３により、凹部４０を外側から塞ぐと、脚部４４が、凹部４０に嵌まり込み、凹部４０に収容されたスポンジ３６に上側から当接するので、スポンジ３６が凹部４０内において位置決めされる。
【００４３】
スポンジ３６には、予め水分が染み込ませてあり、回転ブラシ２５が回転すると、ウィングクロス２８の先端が、開口４１を介してスポンジ３６に接触し、スポンジ３６の水分を僅かに吸収するので、上記の実施例と同様に、ウィングクロス２８によって床面１７を水拭きできる。なお、スポンジ３６に蓋４３の脚部４４が当接することにより、スポンジ３６から水分が適度に染み出るので、スポンジ３６からウィングクロス２８へ円滑に水分を供給することができる。
【００４４】
そして、床面１７の水拭きに伴ってスポンジ３６の水分が少なくなった場合には、図７に示すように、蓋４３を取り外して凹部４０を上方へ開放し、スポンジ３６を凹部４０から取り出してスポンジ３６に水分を新たに染み込ませる。その後、スポンジ３６を凹部４０に収容し、凹部４０を蓋４３で塞ぐ。もちろん、水分が少なくなった古いスポンジ３６を、水分が染み込んだ新しいスポンジ３６に交換することもできる。また、スポンジ３６を凹部４０に収容した状態で、スポンジ３６に新たに水を染み込ませることもできる。
【００４５】
スポンジ３６は、吸水素材であるので、比較的多量の水分を蓄えることができる。そのため、スポンジ３６からウィングクロス２８に対して水分を比較的長期間供給することができる。また、図６に示すように、スポンジ３６を凹部４０に収納し、凹部４０を蓋４３で外側から塞ぐことにより、スポンジ３６の水分が凹部４０からハウジング１４の外側へ漏れ出すことを防止することができる。そして、上記実施例と同様に開口４１を介することにより、ウィングクロス２８は、スポンジ３６に接触することができ、スポンジ３６から水分を確実に吸収することができる。また、スポンジ３６は、回転ブラシ２５の鉛直上方に配置されるので、スポンジ３６の水分を、重力を利用して、ウィングクロス２８に円滑に供給することができる。
（第２の変形例）
図８は、図４に第２の変形例を適用した図である。図９は、第２の変形例に係る回転ブラシ２５の側面図であって、要部を断面で示している。
【００４６】
図８に示すように、第２の変形例では、吸込具６において、上記した凹部４０および開口４１（図３参照）を設ける代わりに、回転ブラシ２５の回転軸２６にスポンジ３６を取り付ける。
具体的には、回転ブラシ２５は、ハウジング１４に対して着脱可能であり、回転軸２６は、中空の略円筒形状に形成されている。回転軸２６の内部は、軸端部から露出されている。そして、回転軸２６の周壁（外側表面）には、複数の貫通穴４５が形成されている。貫通穴４５は、回転軸２６の中空部分とウィングクロス２８の基端部とをつなぐように、回転軸２６の周壁を貫通している。つまり、貫通穴４５によって、回転軸２６の内側と外側とが連通している。そして、第２の変形例に係るスポンジ３６は、回転軸２６の中空部分とほぼ等しい略円柱形状であり、回転軸２６内に収容されている。このスポンジ３６は、回転軸２６に対して着脱可能である。図９に示すように、回転軸２６の軸端部には、ホルダ４６が着脱自在に取り付けられている。ホルダ４６は、幅方向に長手の略円筒形状であり、スポンジ３６を収容した回転軸２６の軸端部を塞ぐように取り付けられており、回転ブラシ２５の一部をなす。ホルダ４６の幅方向内側端部は、回転軸２６内に配置され、スポンジ３６に当接している。これにより、スポンジ３６は、回転軸２６内で位置決めされる。そして、ホルダ４６と回転軸２６の軸端部との間には、シールパッキン４７が介挿され、回転軸２６の軸端部からスポンジ３６の水分が漏れ出すことが防止されている。
【００４７】
図８に示すように、回転軸２６にスポンジ３６が収容された状態において、スポンジ３６の水分は、貫通穴４５を介して、各ウィングクロス２８に僅かに吸収される。回転ブラシ２５が回転すると遠心力が発生するので、スポンジ３６からウィングクロス２８への水分の供給が促進される。水分が供給されたウィングクロス２８は、回転ブラシ２５の回転に伴って、床面１７を水拭きする。
【００４８】
第２の変形例では、スポンジ３６とウィングクロス２８とが貫通穴４５を介してつながっているので、スポンジ３６に水分がある限り、スポンジ３６からウィングクロス２８に対して、水分を確実に供給することができる。
そして、床面１７の水拭きに伴ってスポンジ３６の水分が少なくなった場合には、図９に示すように、まず、回転ブラシ２５を、ホルダ４６とともに、ハウジング１４から離脱させる。そして、ホルダ４６を回転軸２６から取り外して回転軸２６内部を幅方向外側へ開放し、スポンジ３６を回転軸２６から取り出してスポンジ３６に水分を新たに染み込ませる。その後、スポンジ３６を回転軸２６に収容し、回転軸２６にホルダ４６を取り付けてから、回転ブラシ２５を、ホルダ４６とともに、ハウジング１４に装着する。もちろん、上述したように、水分が少なくなった古いスポンジ３６を、水分が染み込んだ新しいスポンジ３６に交換することができる。また、スポンジ３６を回転軸２６に収容した状態で、スポンジ３６に新たに水を染み込ませることもできる。
（第３の変形例）
上記の実施例では、ウィングクロス２８に水分を吸収させ、このウィングクロス２８で床面１７を水拭きしたが、ブラシ２７にも水分を吸収させ、ブラシ２７で床面１７を水拭きしてもよい。
【００４９】
この発明は、以上説明した実施形態に限定されるものではなく、請求項記載の範囲内において種々の変更が可能である。
【図面の簡単な説明】
【００５０】
【図１】この発明の一実施形態に係る電気掃除機用吸込具６を含む電気掃除機１の右側面図である。
【図２】図１における電気掃除機本体２の右側断面図である。
【図３】吸込具６の右側断面図である。
【図４】図３において、ウェットシート２９を取り付けた様子を示す。
【図５】吸込具６の平面図である。
【図６】図４に第１の変形例を適用した図である。
【図７】図６において、要部を分解した状態を示す。
【図８】図４に第２の変形例を適用した図である。
【図９】第２の変形例に係る回転ブラシ２５の側面図であって、要部を断面で示している。
【符号の説明】
【００５１】
１４    ハウジング
１７    床面
２４    吸込口
２５    回転ブラシ
２６    回転軸
２７    ブラシ
２８    ウィングクロス
２９    ウェットシート
３６    スポンジ
４０    凹部
４１    開口
４２    ローラ
４３    蓋
４５    貫通穴
【図１】
2009022457.tif 000003
【図２】
2009022457.tif 000004
【図３】
2009022457.tif 000005
【図４】
2009022457.tif 000006
【図５】
2009022457.tif 000007
【図６】
2009022457.tif 000008
【図７】
2009022457.tif 000009
【図８】
2009022457.tif 000010
【図９】
2009022457.tif 000011